【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
第１の方向に対する表示内容を作成する第１の表示内容作成手段と、
前記第１の表示内容作成手段により作成された前記表示内容とは関連性を持たない、第２の方向に対する表示内容を作成する第２の表示内容作成手段と、
表示出力の指向性を制御する指向性制御手段と、
各表示素子に対して前記第１の表示内容作成手段により作成された第１の表示内容と前記第２の表示内容作成手段により作成された第２の表示内容とを時分割で切り換えて出力するとともに、当該表示内容の切り換えタイミングと前記指向性制御手段による指向性の切り換えタイミングを連動させる時分割連動制御手段と、
を備えたことを特徴とする表示装置。
【請求項２】
前記時分割連動制御手段が、全表示素子単位で前記第１の表示内容と前記第２の表示内容とを時分割で切り換えて出力するものであることを特徴とする請求項１に記載の表示装置。
【請求項３】
前記時分割連動制御手段が、前記第１の表示内容と前記第２の表示内容との切り換え密度を可変制御するものであることを特徴とする請求項２に記載の表示装置。
【請求項４】
車両に搭載され、自車両の走行状態を取得する走行状態取得手段をさらに備え、前記時分割連動制御手段が、前記自車両の走行状態に基づいて前記切り換え密度を変更するものであることを特徴とする請求項３に記載の表示装置。
【請求項５】
前記時分割連動制御手段が、自車両が走行中である場合に前記第２の方向への切り換え密度を高めるものであることを特徴とする請求項４に記載の表示装置。
【請求項６】
前記時分割連続制御手段が、運転者に対する案内を実行中である場合に前記第１の方向への切り換え密度を高めるものであることを特徴とする請求項４に記載の表示装置。
【請求項７】
前記第１の表示内容と前記第２の表示内容との切り換え密度に基づいて表示出力の輝度を補正する輝度補正手段をさらに備えたことを特徴とする請求項２に記載の表示装置。
【請求項８】
前記時分割連動制御手段が、前記第１の表示内容と前記第２の表示内容とを含む出力パターンを時分割で切り換えて出力するとともに、当該出力パターンの切り換えタイミングと前記指向性制御手段による指向性の切り換えタイミングとを連動させるものであることを特徴とする請求項１に記載の表示装置。
【請求項９】
前記指向性制御手段が、特定方向への光の透過を遮断する液晶シャッターであることを特徴とする請求項１に記載の表示装置。
【請求項１０】
前記時分割連動制御手段が、前記指向性制御手段による指向性を切り換える時点および当該時点の前後に第１の方向への透過と第２の方向への透過をともに遮断する全遮断期間を設けることを特徴とする請求項９に記載の表示装置。
【請求項１１】
前記時分割連動制御手段が、前記第１の表示内容と前記第２の表示内容とが同一である場合に、前記液晶シャッターを常時全開するものであることを特徴とする請求項９に記載の表示装置。
【請求項１２】
前記時分割連動制御手段が、前記液晶シャッターを格子状の遮光パターンに制御するものであることを特徴とする請求項９に記載の表示装置。
【請求項１３】
前記第１の表示内容作成手段と前記第２の表示内容作成手段とにより作成された表示内容に共通の内容が含まれる場合、前記時分割連動制御手段が、当該共通内容を表示画面の同一の領域に表示するものであることを特徴とする請求項１に記載の表示装置。
【請求項１４】
前記時分割連動制御手段が、前記液晶シャッターのうち、前記共通内容を表示する領域に対応する部分を常時全開するものであることを特徴とする請求項１３に記載の表示装置。
【請求項１５】
車両に搭載され、前記第１の方向は運転席方向であり、前記第２の方向は助手席方向であることを特徴とする請求項１に記載の表示装置。
【請求項１６】
前記時分割連動制御手段が、前記助手席に乗員が着座していない場合に前記第１の表示内容を選択的に表示するとともに、前記指向性制御手段による指向性制御を停止するものであることを特徴とする請求項１５に記載の表示装置。
【請求項１７】
前記第１の表示内容作成手段および前記第２の表示内容作成手段が、時分割の出力に対応したビットレートの表示内容を作成するものであることを特徴とする請求項１に記載の表示装置。
【請求項１８】
各表示素子に対して複数の画像を時分割表示する時分割表示工程と、
画像光線の所定方向の出射を前記時分割表示と連動させて時分割遮断することにより表示出力に指向性を付加し、前記複数の画像をそれぞれ異なる方向に出力する時分割遮断工程と、
を含んだことを特徴とする表示方法。
【請求項１９】
第１画像における第１特定画素群と、前記第１画像の内容とは関連性を持たない第２画像における該第１特定画素群と排他的位置にある第２排他画素群との第１合成画像を生成する第１合成画像生成手段と、
前記第２画像における前記第１特定画素群と同じ位置にある第２特定画素群と、前記第１画像における該第２特定画素群と排他的位置にある第１排他画素群との第２合成画像を生成する第２合成画像生成手段と、
表示出力における、前記第１特定画素群の位置にある各画素の指向性と、前記第２特定画素群の位置にある各画素の指向性とを切り換え制御する指向性制御手段と、
前記第１合成画像と前記第２合成画像を時分割で切り換えて表示すると共に、前記指向性制御手段による指向性の切り換えタイミングを連動させる時分割連動制御手段と、を備えたことを特徴とする表示装置。
【請求項２０】
第１画像における第１特定画素群と、前記第１画像の内容とは関連性を持たない第２画像における該第１特定画素群と排他的位置にある第２排他画素群との第１合成画像を生成する第１合成画像生成工程と、
前記第２画像における前記第１特定画素群と同じ位置にある第２特定画素群と、前記第１画像における該第２特定画素群と排他的位置にある第１排他画素群との第２合成画像を生成する第２合成画像生成工程と、
前記第１合成画像と前記第２合成画像を時分割で切り換えて表示すると共に、  表示出力における、前記第１特定画素群の位置にある各画素の指向性と、前記第２特定画素群の位置にある各画素の指向性とを連動させて切り換える時分割切り換え工程と、を備えたことを特徴とする表示方法。
【手続補正２】
【補正対象書類名】明細書
【補正対象項目名】０００９
【補正方法】変更
【補正の内容】
【０００９】
上述した課題を解決し、目的を達成するため、請求項１の発明に係る表示装置は、第１の方向に対する表示内容を作成する第１の表示内容作成手段と、前記第１の表示内容作成手段により作成された前記表示内容とは関連性を持たない、第２の方向に対する表示内容を作成する第２の表示内容作成手段と、表示出力の指向性を制御する指向性制御手段と、各表示素子に対して前記第１の表示内容作成手段により作成された第１の表示内容と前記第２の表示内容作成手段により作成された第２の表示内容とを時分割で切り換えて出力するとともに、当該表示内容の切り換えタイミングと前記指向性制御手段による指向性の切り換えタイミングを連動させる時分割連動制御手段と、を備えたことを特徴とする。
【手続補正３】
【補正対象書類名】明細書
【補正対象項目名】００１０
【補正方法】変更
【補正の内容】
【００１０】
この請求項１の発明によれば表示装置は、第１の表示内容作成手段が第１の方向に対する表示内容を作成するとともに第２の表示内容作成手段が第２の方向に対する表示内容を作成し、時分割連動手段が各表示素子に対して前記第１の表示内容作成手段により作成された第１の表示内容と前記第２の表示内容作成手段により作成された、第１の表示内容作成手段により作成された表示内容とは関連性を持たない第２の表示内容とを時分割で切り換えて出力するとともに、当該表示内容の切り換えタイミングと指向性制御手段による指向性の切り換えタイミングを連動させる。
【手続補正４】
【補正対象書類名】明細書
【補正対象項目名】００４５
【補正方法】変更
【補正の内容】
【００４５】
また、請求項１９の発明に係る表示装置は、第１画像における第１特定画素群と、前記第１画像の内容とは関連性を持たない第２画像における該第１特定画素群と排他的位置にある第２排他画素群との第１合成画像を生成する第１合成画像生成手段と、前記第２画像における前記第１特定画素群と同じ位置にある第２特定画素群と、前記第１画像における該第２特定画素群と排他的位置にある第１排他画素群との第２合成画像を生成する第２合成画像生成手段と、表示出力における、前記第１特定画素群の位置にある各画素の指向性と、前記第２特定画素群の位置にある各画素の指向性とを切り換え制御する指向性制御手段と、前記第１合成画像と前記第２合成画像を時分割で切り換えて表示すると共に、前記指向性制御手段による指向性の切り換えタイミングを連動させる時分割連動制御手段と、を備えたことを特徴とする。
【手続補正５】
【補正対象書類名】明細書
【補正対象項目名】００４６
【補正方法】変更
【補正の内容】
【００４６】
この請求項１９の発明によれば表示装置は、第１画像における第１特定画素群と、前記第１画像の内容とは関連性を持たない第２画像における該第１特定画素群と排他的位置にある第２排他画素群との第１合成画像を生成し、前記第２画像における前記第１特定画素群と同じ位置にある第２特定画素群と、前記第１画像における該第２特定画素群と排他的位置にある第１排他画素群との第２合成画像を生成し、前記第１合成画像と前記第２合成画像を時分割で切り換えて表示すると共に、表示出力における、前記第１特定画素群の位置にある各画素の指向性と、前記第２特定画素群の位置にある各画素の指向性とを連動させて切り換える。
【手続補正６】
【補正対象書類名】明細書
【補正対象項目名】００４７
【補正方法】変更
【補正の内容】
【００４７】
また、請求項２０の発明に係る表示方法は、第１画像における第１特定画素群と、前記第１画像の内容とは関連性を持たない第２画像における該第１特定画素群と排他的位置にある第２排他画素群との第１合成画像を生成する第１合成画像生成工程と、前記第２画像における前記第１特定画素群と同じ位置にある第２特定画素群と、前記第１画像における該第２特定画素群と排他的位置にある第１排他画素群との第２合成画像を生成する第２合成画像生成工程と、前記第１合成画像と前記第２合成画像を時分割で切り換えて表示すると共に、表示出力における、前記第１特定画素群の位置にある各画素の指向性と、前記第２特定画素群の位置にある各画素の指向性とを連動させて切り換える時分割切り換え工程と、を備えたことを特徴とする。
【手続補正７】
【補正対象書類名】明細書
【補正対象項目名】００４８
【補正方法】変更
【補正の内容】
【００４８】
この請求項２０の発明によれば表示方法は、第１画像における第１特定画素群と、前記第１画像の内容とは関連性を持たない第２画像における該第１特定画素群と排他的位置にある第２排他画素群との第１合成画像を生成し、前記第２画像における前記第１特定画素群と同じ位置にある第２特定画素群と、前記第１画像における該第２特定画素群と排他的位置にある第１排他画素群との第２合成画像を生成し、前記第１合成画像と前記第２合成画像を時分割で切り換えて表示すると共に、表示出力における、前記第１特定画素群の位置にある各画素の指向性と、前記第２特定画素群の位置にある各画素の指向性とを連動させて切り換える。
【手続補正８】
【補正対象書類名】明細書
【補正対象項目名】００４９
【補正方法】変更
【補正の内容】
【００４９】
請求項１の発明によれば表示装置は、第１の表示内容作成手段が第１の方向に対する表示内容を作成するとともに第２の表示内容作成手段が第２の方向に対する表示内容を作成し、時分割連動手段が各表示素子に対して前記第１の表示内容作成手段により作成された第１の表示内容と前記第２の表示内容作成手段により作成された、第１の表示内容作成手段により作成された表示内容とは関連性を持たない第２の表示内容とを時分割で切り換えて出力するとともに、当該表示内容の切り換えタイミングと指向性制御手段による指向性の切り換えタイミングを連動させるので、解像度の低下させることなく複数方向に異なる表示出力を行なう表示装置を得ることができるという効果を奏する。
【手続補正９】
【補正対象書類名】明細書
【補正対象項目名】００６７
【補正方法】変更
【補正の内容】
【００６７】
また、請求項１９の発明によれば表示装置は、第１画像における第１特定画素群と、第１画像の内容とは関連性を持たない第２画像における該第１特定画素群と排他的位置にある第２排他画素群との第１合成画像を生成し、前記第２画像における前記第１特定画素群と同じ位置にある第２特定画素群と、前記第１画像における該第２特定画素群と排他的位置にある第１排他画素群との第２合成画像を生成し、前記第１合成画像と前記第２合成画像を時分割で切り換えて表示すると共に、表示出力における、前記第１特定画素群の位置にある各画素の指向性と、前記第２特定画素群の位置にある各画素の指向性とを連動させて切り換えるので、解像度の低下させることなく複数方向に異なる表示出力を行なう表示装置を得ることができるという効果を奏する。
【手続補正１０】
【補正対象書類名】明細書
【補正対象項目名】００６８
【補正方法】変更
【補正の内容】
【００６８】
また、請求項２０の発明によれば表示方法は、第１画像における第１特定画素群と、第１画像の内容とは関連性を持たない第２画像における該第１特定画素群と排他的位置にある第２排他画素群との第１合成画像を生成し、前記第２画像における前記第１特定画素群と同じ位置にある第２特定画素群と、前記第１画像における該第２特定画素群と排他的位置にある第１排他画素群との第２合成画像を生成し、前記第１合成画像と前記第２合成画像を時分割で切り換えて表示すると共に、表示出力における、前記第１特定画素群の位置にある各画素の指向性と、前記第２特定画素群の位置にある各画素の指向性とを連動させて切り換えるので、解像度の低下させることなく複数方向に異なる表示出力を行なう表示方法を得ることができるという効果を奏する。